(57)【要約】      （修正有）【課題】総合的に性能が優れ、環境保護の目的も達成することができるシリコーンゲルの複合材料を提供する。【解決手段】シリコーンゲルの複合材料は、基本材料１と、該基本材料１の表面に設けられたシリコン層３とを含んでなり、プラチナ（Ｐｔ）を触媒とした透明、或いは半透明のゲル状のシリコンを材料層５上に塗布し、加熱するとシリコーンゲルが次第に硬化して皮膜状のシリコン層３になるとともに、基本材料１とシリコン層３とが粘着される。材料層５を剥がすと、シリコーンゲルの複合材料が得られる。材料層５に模様を設けると、該シリコーンゲルの表面に模様が形成され、そうでなければ光沢を具えた面、或いは不透明な面などの表面に形成することができる。また、シリコン層３の表面には印刷、エッチングなどで必要に応じて様々な図形や文字、或いは触感を与える加工を行って、表面に立体的な模様を形成することもできる。【選択図】図１
0003155409.tif 000002
【実用新案登録請求の範囲】
【請求項１】
基本材料と、該基本材料の表面に設けられたシリコン層とを含んでなることを特徴とするシリコーンゲルの複合材料。
【請求項２】
前記基本材料が、シリコン層を設ける面に対向する面に感圧性接着剤を設けてなり、該感圧性接着剤の外側表面に材料層が貼着されることを特徴とする請求項１に記載のシリコーンゲルの複合材料。
【請求項３】
前記材料層が、型紙、或いはフィルムからなることを特徴とする請求項２に記載のシリコーンゲルの複合材料。
【請求項４】
前記シリコン層が、プラチナを触媒として透明、或いは半透明のゲル状に形成された表面層を具えてなることを特徴とする請求項１または２に記載のシリコーンゲルの複合材料。
【請求項５】
前記シリコン層が、内部に様々な色の色料を均等に混合してなることを特徴とする請求項４に記載のシリコーンゲルの複合材料。
【請求項６】
前記基本材料が、化学繊維、ガラス繊維、コットン、麻、紙、金属からなることを特徴とする請求項５に記載のシリコーンゲルの複合材料。
【請求項７】
前記シリコン層の表面が、押し圧して形成した模様、光沢を具えた面、或いは半透明の面を具えてなることを特徴とする請求項６に記載のシリコーンゲルの複合材料。
【請求項８】
前記シリコン層が、表面に印刷、エッチングで様々な図形や文字を具えてなることを特徴とする請求項７に記載のシリコーンゲルの複合材料。
【考案の詳細な説明】
【技術分野】
【０００１】
この考案は、シリコーンゲルの複合材料に関し、特に装飾や被覆するために塗布するシリコーンゲルの複合材料に関する。
【背景技術】
【０００２】
科学技術の発展に伴って、人工の複合材料は幅広く応用されている。
【０００３】
例えば、業界では、ポリウレタン（ＰＵ）、ポリ塩化ビニル（ＰＶＣ）などの化学材料の合成材料が多く使用されている。
【０００４】
前述の材料は、塗布すると本物の皮のように見せることができるため幅広く使用されている。バッグ、箱、靴箱、ジャケット、椅子などを本皮に模すため、壁紙・玩具の表面などの装飾、被覆性の材料として、さらには防水の雨傘の布、コート、雨具の材料、滑り止めのヨガマット、携帯電話ケース、アスレチック用のグローブなどの機能性材料、熱を遮断するふきん、カーテン、コースターなどに使用されている。
【０００５】
上述ように伝統的な化学合成材料は、市場の需要を満たし、人々の生活物質を豊富にする役割を果たしてきた。
【０００６】
しかしながら、社会の発展に伴い、人々は環境に対する影響などを考慮するようになったため、いくつかの人工的な材料が淘汰された。
【０００７】
例えば、ポリ塩化ビニルの合成材料は、それ自身に欠陥があるため、発展途上国では使用が禁止された。このため、市場では合成皮革としてポリウレタン製品が多く見られるようになった。
【０００８】
しかし、ポリウレタン材料は、通気性、耐熱性、耐耗性、防水性、触感などが化学・物理性な面でいずれも理想的ではない。
【０００９】
そこで、業界では総合的な性能に優れ、且つ環境保護にも有効で市場の需要を満たすことができる人工的な合成材料の開発が望まれていた。
【考案の概要】
【考案が解決しようとする課題】
【００１０】
この考案は、総合的に性能が優れ、環境保護の目的も達成することができるシリコーンゲルの複合材料を提供することを課題とする。
【課題を解決するための手段】
【００１１】
そこで、本考案者は従来の技術に見られる欠点に鑑みて鋭意研究を重ねた結果、基本材料と、該基本材料の表面に設けられたシリコン層とを含んでなるシリコーンゲルの複合材料の構造によって課題を解決できる点に着眼し、かかる知見に基づいて本考案を完成させた。
【００１２】
以下、この考案について具体的に説明する。
請求項１に記載のシリコーンゲルの複合材料は、基本材料と、該基本材料の表面に設けられたシリコン層とを含んでなる。
【００１３】
請求項２に記載のシリコーンゲルの複合材料は、請求項１における基本材料が、シリコン層を設ける面に対向する面に感圧性接着剤を設けてなり、該感圧性接着剤の外側表面に材料層が貼着される。
【００１４】
請求項３に記載のシリコーンゲルの複合材料は、請求項２における材料層が、型紙、或いはフィルムからなる。
【００１５】
請求項４に記載のシリコーンゲルの複合材料は、請求項１または２におけるシリコン層が、プラチナを触媒として透明、或いは半透明のゲル状に形成された表面層を具えてなる。
【００１６】
請求項５に記載のシリコーンゲルの複合材料は、請求項４におけるシリコン層が、内部に様々な色の色料を均等に混合する。
【００１７】
請求項６に記載のシリコーンゲルの複合材料は、請求項５における基本材料が、化学繊維、ガラス繊維、コットン、麻、紙、金属からなる。
【００１８】
請求項７に記載のシリコーンゲルの複合材料は、請求項６におけるシリコン層の表面が、押し圧して形成した模様、光沢を具えた面、或いは半透明の面を具える。
【００１９】
請求項８に記載のシリコーンゲルの複合材料は、請求項７におけるシリコン層が、表面に印刷、エッチングで様々な図形や文字を具える。
【考案の効果】
【００２０】
この考案によるシリコーンゲルの複合材料は、総合的に性能が優れているため、応用範囲が広く、簡単に加工できて、作業が便利であるという効果を有する。
【図面の簡単な説明】
【００２１】
【図１】この考案のシリコーンゲルの複合材料を示した断面図である。
【図２】この考案のシリコーンゲルの複合材料の他の実施形態を示した断面図である。
【考案を実施するための最良の形態】
【００２２】
この考案は、基本材料と、該基本材料の表面に設けられたシリコン層とを含んでなるシリコーンゲルの複合材料の構造と特徴を詳述するために具体的な実施例を挙げ、図示を参照にして以下に説明する。
【実施例】
【００２３】
図１は、この考案を示した断面図である。
【００２４】
図面によれば、この考案のシリコーンゲルの複合材料は、プラチナ（Ｐｔ）を触媒とした透明、或いは半透明のゲル状のシリコンを材料層５上に塗布する。
【００２５】
該材料層５は模様を具えてもよく、又は光沢を具えた面に形成してもよく、加熱すると、シリコーンゲルが次第に硬化して皮膜状のシリコン層３になるとともに、基本材料１とシリコン層３とが粘着される。
【００２６】
材料層５を剥がすと、シリコーンゲルの複合材料が得られる。
【００２７】
材料層５に模様を設けると、該シリコーンゲルの表面に模様（図示しない）が形成され、そうでなければ光沢を具えた面、或いは不透明な面などの表面に形成することができる。
【００２８】
また、シリコン層３の表面には印刷、エッチングなどで必要に応じて様々な図形や文字（図示しない）、或いは触感を与える加工を行って、表面に立体的な模様を形成することもできる。
【００２９】
上述の製品は一般の布のように裁断することができる。
【００３０】
この考案の実施形態では、必要に応じて、シリコーンゲルの中に様々な色料を均一に混合し、シリコン層３に必要な色を色づけしている。
【００３１】
基本材料１は、化学繊維、ガラス繊維、コットン、麻、紙、金属などの材料から形成する。
【００３２】
図２は、この考案の他の実施形態を示した断面図である。
【００３３】
この実施形態は、上述の実施形態の構造と基本的に同様であるが、この実施形態では基本材料１の下方に感圧性接着剤４（ＰＳＡ−Ｐｒｅｓｓｕｒｅ  Ｓｅｎｓｉｔｉｖｅ  Ａｄｈｅｓｉｖｅ）を設けてなる。
【００３４】
該感圧性接着剤４は、その外側表面にもう一つの材料層５を粘着する。
【００３５】
該材料層５を剥がせば直接粘着して使用することができるため非常に便利である。
【００３６】
前述の材料層５は、型紙、或いはフィルターからなる。
【００３７】
この考案のシリコーンゲルの複合材料は、環境保護の目的に沿って無毒で、且つ耐熱性、耐耗性、絶縁性、化学抵抗力などいずれも従来の人工的な合成材料に比べて総合的な性能に優れている。
【００３８】
また、シリコーンゲルの複合材料の表面は柔軟で、手触りがよく、且つ防水、滑り止め、熱を遮断する目的を達成するため、応用範囲が広く、加工が簡単で、操作も便利である。
【００３９】
さらに、該シリコーンゲルの複合材料は、一般の布と同様に裁断することができ、簡単に材料層５を取り外してシリコンゲルの複合材料を粘着することができる。
【００４０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００４１】
１     基本材料
３     シリコン層
４     感圧接着剤
５     材料層
【図１】
0003155409.tif 000003
【図２】
0003155409.tif 000004
【手続補正書】
【提出日】平成21年6月8日(2009.6.8)
【手続補正２】
【補正対象書類名】実用新案登録請求の範囲
【補正対象項目名】全文
【補正方法】変更
【補正の内容】
【実用新案登録請求の範囲】
【請求項１】
基本材料と、該基本材料の表面に設けられたシリコン層とを含んでなることを特徴とするシリコーンゲル。
【請求項２】
前記基本材料が、シリコン層を設ける面に対向する面に感圧性接着剤を設けてなり、該感圧性接着剤の外側表面に材料層が貼着されることを特徴とする請求項１に記載のシリコーンゲル。
【請求項３】
前記材料層が、型紙、或いはフィルムからなることを特徴とする請求項２に記載のシリコーンゲル。
【請求項４】
前記シリコン層が、プラチナを触媒として透明、或いは半透明のゲル状に形成された表面層を具えてなることを特徴とする請求項１または２に記載のシリコーンゲル。
【請求項５】
前記シリコン層が、内部に様々な色の色料を均等に混合してなることを特徴とする請求項４に記載のシリコーンゲル。
【請求項６】
前記基本材料が、化学繊維、ガラス繊維、コットン、麻、紙、金属からなることを特徴とする請求項５に記載のシリコーンゲル。
【請求項７】
前記シリコン層の表面が、押し圧して形成した模様、光沢を具えた面、或いは半透明の面を具えてなることを特徴とする請求項６に記載のシリコーンゲル。
【請求項８】
前記シリコン層が、表面に印刷、エッチングで様々な図形や文字を具えてなることを特徴とする請求項７に記載のシリコーンゲル。
【手続補正書】
【提出日】平成21年7月17日(2009.7.17)
【手続補正２】
【補正対象書類名】実用新案登録請求の範囲
【補正対象項目名】全文
【補正方法】変更
【補正の内容】
【実用新案登録請求の範囲】
【請求項１】
基本材料と、該基本材料の表面に設けられたシリコーンゲルを硬化してなるシリコン層とを含んでなることを特徴とする複合材料。
【請求項２】
前記基本材料が、シリコン層を設ける面に対向する面に感圧性接着剤を設けてなり、該感圧性接着剤の外側表面に材料層が貼着されることを特徴とする請求項１に記載の複合材料。
【請求項３】
前記材料層が、型紙、或いはフィルムからなることを特徴とする請求項２に記載の複合材料。
【請求項４】
前記シリコン層が、プラチナを触媒として透明、或いは半透明のゲル状に形成された表面層を具えてなることを特徴とする請求項１または２に記載の複合材料。
【請求項５】
前記シリコン層が、内部に様々な色の色料を均等に混合してなることを特徴とする請求項４に記載の複合材料。
【請求項６】
前記基本材料が、化学繊維、ガラス繊維、コットン、麻、紙、金属からなることを特徴とする請求項５に記載の複合材料。
【請求項７】
前記シリコン層の表面が、押し圧して形成した模様、光沢を具えた面、或いは半透明の面を具えてなることを特徴とする請求項６に記載の複合材料。
【請求項８】
前記シリコン層が、表面に印刷、エッチングで様々な図形や文字を具えてなることを特徴とする請求項７に記載の複合材料。
【手続補正書】
【提出日】平成21年8月31日(2009.8.31)
【手続補正２】
【補正対象書類名】実用新案登録請求の範囲
【補正対象項目名】全文
【補正方法】変更
【補正の内容】
【実用新案登録請求の範囲】
【請求項１】
基本材料と、該基本材料の表面に設けられたシリコーンゲルを硬化してなるシリコン層とを含んでなることを特徴とする複合材料構造体。
【請求項２】
前記基本材料が、シリコン層を設ける面に対向する面に感圧性接着剤を設けてなり、該感圧性接着剤の外側表面に材料層が貼着されることを特徴とする請求項１に記載の複合材料構造体。
【請求項３】
前記材料層が、型紙、或いはフィルムからなることを特徴とする請求項２に記載の複合材料構造体。
【請求項４】
前記シリコン層が、内部に様々な色の色料を均等に混合してなることを特徴とする請求項１又は２に記載の複合材料構造体。
【請求項５】
前記基本材料が、化学繊維、ガラス繊維、コットン、麻、紙、金属からなることを特徴とする請求項４に記載の複合材料構造体。
【請求項６】
前記シリコン層の表面が、押し圧して形成した模様、光沢を具えた面、或いは半透明の面を具えてなることを特徴とする請求項５に記載の複合材料構造体。
【請求項７】
前記シリコン層が、表面に印刷、エッチングで様々な図形や文字を具えてなることを特徴とする請求項６に記載の複合材料構造体。